【手続補正書】
【提出日】平成29年5月18日(2017.5.18)
【手続補正１】
【補正対象書類名】特許請求の範囲
【補正対象項目名】請求項８
【補正方法】変更
【補正の内容】
【請求項８】
前記ロック部材移動手段として、前記ロック部材を移動させるロックキーが、外部から操作可能な状態で前記ボディに設けられる請求項１〜７のいずれかに記載のカード・カセット装置。
【手続補正２】
【補正対象書類名】特許請求の範囲
【補正対象項目名】請求項１０
【補正方法】変更
【補正の内容】
【請求項１０】
前記ストッパ部材移動手段が、前記ボディの内部において、外部から手の届かない位置に設置される請求項１〜９のいずれかに記載のカード・カセット装置。
【手続補正３】
【補正対象書類名】明細書
【補正対象項目名】００４８
【補正方法】変更
【補正の内容】
【００４８】
（シャッタの係合孔の機能）
シャッタ２２の係合孔２２ｂは、図３０に明瞭に示すように、単なる矩形ではなく、一端の高さ（厚さ）が小さく、他端の高さ（厚さ）が大きい形状を持っている。つまり、一端（図３０では左端）には、高さ（厚さ）が小さい肉薄部２２ｂｘが形成され、他端（図３０では右端）には、高さ（厚さ）が大きい肉厚部２２ｂｙが形成されている。さらに、肉薄部２２ｂｘと肉厚部２２ｂｙを相互に連結する上エッジ及び下エッジは、同じ形状ではない。つまり、下エッジは、係合孔２２ｂの全長にわたって水平であるのに対し、肉厚部２２ｂｙの上エッジ２２ｂｘｘは水平であり、傾斜エッジ部２２ｂｚの上エッジ２２ｂｚｚは肉薄部２２ｂｘに向かって下向きに傾斜し、肉薄部２２ｂｘの上エッジ２２ｂｙｙはまた水平になっているのである。そこで、この傾斜している上エッジ２２ｂｚｚを含む部分を、傾斜エッジ部２２ｂｚと呼ぶ。その結果、係合孔２２ｂは、一端に形成された高さ（厚さ）が相対的に小さい肉薄部２２ｂｘと、他端に形成された高さ（厚さ）が相対的に大きい肉厚部２２ｂｙと、肉薄部２２ｂｘと肉厚部２２ｂｙの間に形成された傾斜エッジ部２２ｂｚとに分けることができる。こうすることにより、ロックプレート３８（の一部）にカムの働きをさせ、係合孔２２ｂにカム溝の働きをさせることができるため、係合孔２２ｂに挿入・係合されたロックプレート３８が、係合孔２２ｂの内部を移動することによって、シャッタ２２を上下に変位（スライド）させることが可能となる。
【手続補正４】
【補正対象書類名】明細書
【補正対象項目名】００５７
【補正方法】変更
【補正の内容】
【００５７】
また、この非装着状態では、ロックプレート３８の作用部３８ｂのみが，シャッタ２２の係合孔２２ｂの内部に挿入されている。しかし、作用部３８ｂは係合孔２２ｂの肉厚部２２ｂｙに位置しているから、作用部３８ｂが係合孔２２ｂの内周エッジに接触することはない。つまり、ロックプレート３８の作用部３８ｂがシャッタ２２に力を及ぼすことはない。このため、この状態で外部からロックキー３９を操作してロックプレート３８を回動させても、シャッタ２２を開放させることはできない。
【手続補正５】
【補正対象書類名】明細書
【補正対象項目名】００６０
【補正方法】変更
【補正の内容】
【００６０】
ロッド３１が没入状態になると、ロッド３１がシャッタ２２のロッド挿通孔２２ｃから外れ、る。その結果、ロッド３１の下端部とロッド挿通孔２２ｃの底部との係合が解消され、シャッタ２２は上昇可能な状態になる。このロッド没入状態では、ロックプレート３８は、上述した非装着状態での状態が維持される。つまり、ロックプレート３８の作用部３８ｂのみが、係合孔２２ｂの肉厚部２２ｂｙに挿入されているが、作用部３８ｂは係合孔２２ｂの内周エッジには接触していない。したがって、ロックプレート３８の作用部３８ｂがシャッタ２２に力を及ぼすことはない。
【手続補正６】
【補正対象書類名】明細書
【補正対象項目名】００６３
【補正方法】変更
【補正の内容】
【００６３】
以上のようにしてロックプレート３８を回動させると、シャッタ２２の下端とボディ２１の底面部２１ｂの上面２１ｂｂとの間には、図２７に示すような小さな隙間Ｇが形成される。つまり、ボディ２１の下端にカード出口２７ａが開放される。こうして、カード・カセット装置２０の収容部２１ｅに収容されているカードを、１枚毎に外部に送出することが可能となる。
【手続補正７】
【補正対象書類名】明細書
【補正対象項目名】００６５
【補正方法】変更
【補正の内容】
【００６５】
以上詳細に説明したように、本発明の実施形態に係るカード・カセット装置２０では、ボディ２１の前面部２１ｄに沿って移動してカード出口２７ａを開閉するシャッタ２２を設けると共に、シャッタ２２のロッド挿通孔２２ｃ（ストッパ部材係合孔）に係合可能なロッド３１（ストッパ部材）と、シャッタ２２の係合孔２２ｂ（ロック部材係合孔）に係合可能なロックプレート３８（ロック部材）を設けている。そして、ソレノイド３０（ストッパ部材移動手段）によって、ロッド３１のロッド挿通孔２２ｃへの係合または離脱を実行することが可能とされ、ロッド３１とロッド挿通孔２２ｃとソレノイド３０は、シャッタ２２をロック状態（閉鎖状態）にする「シャッタロック手段」を構成している。また、ロックキー３９（ロック部材移動手段）によって、ロックプレート３８の係合孔２２ｂへの係合または離脱を実行することが可能とされ、ロックプレート３８と係合孔２２ｂとロックキー３９は、シャッタ２２の閉鎖状態を解除する「閉鎖状態解除手段」を構成している。
【手続補正８】
【補正対象書類名】明細書
【補正対象項目名】００６７
【補正方法】変更
【補正の内容】
【００６７】
このため、ロッド３１とロッド挿通孔２２ｃとソレノイド３０を含む前記シャッタロック手段を、カード出口２７ａを開閉するシャッタ２２の移動を直接的に禁止する機構として使用することにより、非装着状態において外部からカード出口２７ａを開放する術をなくすことができる。
【手続補正９】
【補正対象書類名】明細書
【補正対象項目名】００７３
【補正方法】変更
【補正の内容】
【００７３】
１          カード払出装置
１０        本体部
１２        カード送出機構
１２ａ      プーリ
１２ｂ      無端ベルト
１２ｃ      プーリ
１２ｄ      無端ベルト
１２ｅ      プーリ
１２ｆ      カード送出ローラ
１５        カセット装着ガイド
１５ａ      フロントパネル
１５ｂ      サイドパネル
１５ｃ      凹部
１６        電気コネクタ
２０        カード・カセット装置
２１        ボディ
２１ａ      スリット
２１ｂ      底面部
２１ｂｂ    底面部の上面
２１ｃ      上面部
２１ｄ      前面部
２１ｅ      収容部
２１ｆ      側面部
２１ｇ      開口
２１ｇ      カード出口
２２        シャッタ
２２ａ      スリット
２２ｂ      係合孔
２２ｂｘ    肉薄部
２２ｂｘｘ  上エッジ
２２ｂｙ    肉厚部
２２ｂｙｙ  上エッジ
２２ｂｚ    傾斜エッジ部
２２ｂｚｚ  上エッジ
２２ｃ      ロッド挿通孔
２２ｄ      ガイドプレート挿通孔
２２ｅ      突起
２３        フロントパネル
２４        アッパーパネル
２５        ドア
２６        ヒンジシャフト
２７        カードゲート
２７ａ      カード出口
２８        ゲート搭載プレート
２９        ソレノイドブラケット
３０        ソレノイド
３１        ロッド
３２        圧縮バネ
３３        ガイドプレート
３３ｄ      下端部
３４        シャフト
３５        バネ
３６        ストッパ
３７        電気コネクタ
３８        ロックプレート
３８ａ      カム部
３８ｂ      作用部
３８ｃ      透孔
３９        ロックキー
４０        制御基板
４１        基板搭載プレート
４２        インナーカバー
４３        ストッパプレート
４４        トップパネル
４５        ハンドル
４６        ロックプレート
４７        ロックキー
４８        ウェイト
５１        光電センサ
５２        被検知片